(57)【要約】【課題】家庭で使用されるレンジフードにおいて、梁等により本体のアダプタ取付位置を変更しても住宅に設置可能で、且つアダプタ標準取付状態に対し風量−静圧特性を低下させないことを目的とする。【解決手段】本体１０１より風路仕切７、アダプタ１０４の取付位置を変更しても、圧力チャンバー室３で昇圧された空気は風路仕切７により吹き出し風向を鉛直方向に変え、整流されてからアダプタ１０４へ吐出することにより風量―静圧特性を低下させないレンジフードが得られる。【選択図】図１ 
2005172333.tif 000002
【特許請求の範囲】
【請求項１】
吸込口と、この吸込口から吸込んだ空気を圧力チャンバー室へ吐出させるための送風装置と、前記圧力チャンバー室と前記送風装置を仕切る仕切板と、前記圧力チャンバー室からの空気を分割して吐出させる風路仕切と、前記風路仕切から吐出された空気を本体の外へ吐出させるアダプタで構成されたレンジフードにおいて、前記風路仕切が脱着できることを特徴とするレンジフード。
【請求項２】
風路仕切の脱着方向が本体の鉛直方向とすることを特徴とする請求項１記載のレンジフード。
【請求項３】
風路仕切の脱着方向に取付ガイドを形成することを特徴とする請求項１または２記載のレンジフード。
【請求項４】
風路仕切を本体に螺子等で固定することを特徴とする請求項１乃至３のいずれかに記載のレンジフード。
【請求項５】
風路仕切をアダプタとともに本体に固定することを特徴とする請求項１乃至４のいずれかに記載のレンジフード。
【請求項６】
風路仕切とアダプタを一体構造としたことを特徴とする請求項１乃至５のいずれかに記載のレンジフード。
【請求項７】
仕切板の平面と接するように風路仕切の形状がR形状で形成されることを特徴とする請求項１乃至６のいずれかに記載のレンジフード。
【請求項８】
風路仕切の材質を吸音材とすることを特徴とする請求項１乃至７のいずれかに記載のレンジフード。
【請求項９】
風路仕切の表面を透過性の良い材質とし、吸音材を挟み込むように前記風路仕切を形成したことを特徴とする請求項１乃至８のいずれかに記載のレンジフード。
【発明の詳細な説明】
【技術分野】
【０００１】
本発明は、調理時に発生するガス、油煙、臭気などを確実に屋外へ排出する吊戸棚の下方に取付け可能なレンジフードに関する。
【背景技術】
【０００２】
従来、この種のレンジフードは、住宅の梁寸法や天井高さ寸法等の制約の中で排気ダクトを設置するために本体の薄形化や調理時に発生するガス、油煙、臭気の捕集効率の向上が求められている。このような課題に対し、種々考案されたものが知られている。（例えば、特許文献１参照）。
【０００３】
以下、そのレンジフードの構成について図１１を参照しながら説明する。
【０００４】
図に示すように、送風装置１０２と外郭１０３とアダプタ１０４と整流板１０５で構成された本体１０１は、本体１０１の側部下方に傾斜面１０６を形成した側面板１０７を設け、本体１０１の下面に沿う形状の水平部１０８と、傾斜面１０６に沿う形状の傾斜部１０９を設け、本体１０１の幅より狭く前方と側方に吸気口１１０が形成され上面には本体１０１との間に吸気流路１１１が形成される整流板１０５を設け、側面板１０７の傾斜面１０６の高さ位置より本体１０１側寄りに整流板１０５の傾斜部１０９を配設した構成となっている。
【０００５】
以上のように構成されたレンジフードの動作について説明する。
【０００６】
本体１０１の後方側より前方側の吸気口１１０の吸い込み風速が大きくなり、整流板１０５に沿い上昇する油煙を効率良く捕集することができる。
【特許文献１】特開２００１−３０４６４２号公報
【発明の開示】
【発明が解決しようとする課題】
【０００７】
このような従来のレンジフードでは、本体薄形化のためファン吹出部と吐出口であるアダプタが近傍にあるため住宅側の梁に対して、アダプタの位置変更不可による本体取付不可やアダプタ取付位置の変更による風量−静圧特性が悪化するという課題があり、梁により本体のアダプタ取付位置を変更しても住宅に設置可能で、且つアダプタ標準取付状態に対し風量−静圧特性を低下させないことが要求されている。
【０００８】
本発明は、このような従来の課題を解決するものであり、アダプタ取付位置の変更時に風路仕切もアダプタ取付位置に追従させるように変更させることにより、圧力チャンバー室からの空気を整流させてアダプタに吐出することにより風量―静圧特性を低下させないレンジフードを提供することを目的としている。
【０００９】
また、施工時において施工性を上げる課題があり、風路仕切の取付構造を比較的単純化させることが要求されている。
【００１０】
本発明は、このような従来の課題を解決するものであり、本体の取付ガイドに沿って風路仕切が案内され螺子等若しくはアダプタとともに螺子等で本体に設置することにより、取付構造を比較的単純化させ施工性を向上させるレンジフードを提供することを目的としている。
【００１１】
また、レンジフードから発生する騒音を低減させる課題があり、特に風速が速くなる部分において、空気を整流化させ騒音を低減させることが要求されている。
【００１２】
本発明は、このような従来の課題を解決するものであり、騒音の発生原因となる渦発生箇所や風速が速くなる部分を滑らかにし、音エネルギーを熱エネルギーへと変換させる空間を持つことにより、本体から発生する渦による騒音を低減させるレンジフードを提供することを目的としている。
【課題を解決するための手段】
【００１３】
上記の問題点を解決するために本発明のレンジフードは、請求項１記載の通り、風路仕切が脱着できることを特徴とする。
【００１４】
この手段により、アダプタ取付位置の変更時に風路仕切もアダプタ取付位置に追従させるように変更させることにより、圧力チャンバー室からの空気を整流させてアダプタに吐出することにより風量―静圧特性を低下させないレンジフードが得られる。
【００１５】
また、請求項２記載のレンジフードは、風路仕切の脱着方向が本体の鉛直方向とすることを特徴とする。
【００１６】
この手段により、本体を分解することなく風路仕切を脱着することができ、アダプタ取付位置の変更時に風路仕切もアダプタ取付位置に追従させるように変更させることにより、圧力チャンバー室からの空気を整流させてアダプタに吐出することにより風量―静圧特性を低下させないレンジフードが得られる。
【００１７】
また、請求項３記載のレンジフードは、風路仕切の脱着方向に取付ガイドを形成することを特徴とする。
【００１８】
この手段により、本体を分解することなく容易に風路仕切を脱着することができ、本体の取付ガイドに沿って風路仕切が案内され、本体に設置することにより、取付構造を比較的単純化させ施工性を向上させるレンジフードが得られる。
【００１９】
また、請求項４記載のレンジフードは、風路仕切を本体に螺子等で固定することを特徴とする。
【００２０】
この手段により、本体の取付ガイドに沿って風路仕切が案内され螺子により本体に容易に風路仕切を固定することができ、取付構造を比較的単純化させ施工性を向上させるレンジフードが得られる。
【００２１】
また、請求項５記載のレンジフードは、風路仕切をアダプタとともに本体に固定することを特徴とする。
【００２２】
この手段により、本体の取付ガイドに沿って風路仕切が案内されアダプタとともに螺子により本体に容易に風路仕切を固定することができ、取付構造を比較的単純化させ施工性を向上させるレンジフードが得られる。
【００２３】
また、請求項６記載のレンジフードでは、風路仕切とアダプタを一体構造としたことを特徴とする。
【００２４】
この手段により、本体を分解することなく容易に風路仕切を脱着することができ、必ず風路仕切とアダプタをセットで本体に設置することにより、取付構造を比較的単純化させ施工性を向上させるレンジフードが得られる。
【００２５】
また、請求項７記載のレンジフードでは、仕切板の平面と接するように風路仕切の形状がＲ形状で形成されることを特徴とする。
【００２６】
この手段により、風路仕切と仕切板との接続面を滑らかに接続することにより、騒音の発生原因となる渦発生箇所を減少することができ、本体から発生する渦による騒音を低減させるレンジフードが得られる。
【００２７】
また、請求項８記載のレンジフードでは、風路仕切の材質を吸音材とすることを特徴とする。
【００２８】
この手段により、発生した騒音の音エネルギーを熱エネルギーへと変換させる空間を持つことにより、本体から発生する渦による騒音を低減させるレンジフードが得られる。
【００２９】
また、請求項９記載のレンジフードでは、風路仕切の表面を透過性の良い材質とし、吸音材を挟み込むように前記風路仕切を形成したことを特徴とする。
【００３０】
この手段により、吸音材に調理等で発生した油が吸収されないため時間変化による劣化がなく、発生した騒音の音エネルギーを熱エネルギーへと変換させる空間を持つことにより、本体から発生する渦による騒音を低減させるレンジフードが得られる。
【発明の効果】
【００３１】
本発明によれば、アダプタ取付位置の変更時に風路仕切もアダプタ取付位置に追従させるように変更させることにより、圧力チャンバー室からの空気を整流させてアダプタに吐出することにより風量―静圧特性を低下させないレンジフードを提供できる。
【００３２】
また、本体の取付ガイドに沿って風路仕切が案内され螺子等若しくはアダプタとともに螺子等で本体に設置することにより、取付構造を比較的単純化させ施工性を向上させるレンジフードを提供できる。
【００３３】
また、騒音の発生原因となる渦発生箇所を滑らかにし、音エネルギーを熱エネルギーへと変換させる空間を持つことにより、本体から発生する渦による騒音を低減させるレンジフードを提供できる。
【発明を実施するための最良の形態】
【００３４】
本発明の請求項１記載の発明は、吸込口と、この吸込口から吸込んだ空気を圧力チャンバー室へ吐出させるための送風装置と、前記圧力チャンバー室と前記送風装置を仕切る仕切板と、前記圧力チャンバー室からの空気を分割して吐出させる風路仕切と、前記風路仕切から吐出された空気を本体の外へ吐出させるアダプタで構成されたレンジフードにおいて、前記風路仕切が脱着できることとしたものであり、圧力チャンバー室からの空気を整流させてアダプタに吐出することにより風量―静圧特性を低下させないという作用を有する。
【００３５】
また、風路仕切の脱着方向が本体の鉛直方向とすることとしたものであり、本体を分解することなく風路仕切を脱着することができ、圧力チャンバー室からの空気を整流させてアダプタに吐出することにより風量―静圧特性を低下させないという作用を有する。
【００３６】
また、風路仕切の脱着方向に取付ガイドを形成することとしたものであり、取付ガイドに沿って風路仕切が案内され、本体に設置することにより、取付構造を比較的単純化させ施工性を向上させるという作用を有する。
【００３７】
また、風路仕切を本体に螺子等で固定することとしたものであり、螺子により本体に容易に風路仕切を固定することができ、取付構造を比較的単純化させ施工性を向上させるという作用を有する。
【００３８】
また、風路仕切をアダプタとともに本体に固定することとしたものであり、アダプタとともに螺子により本体に容易に風路仕切を固定することができ、取付構造を比較的単純化させ施工性を向上させるという作用を有する。
【００３９】
また、風路仕切とアダプタを一体構造としたこととしたものであり、必ず風路仕切とアダプタをセットで本体に設置することにより、取付構造を比較的単純化させ施工性を向上させるという作用を有する。
【００４０】
また、仕切板の平面と接するように風路仕切の形状がR形状で形成されることとしたものであり、騒音の発生原因となる渦発生箇所を減少することができ、本体から発生する渦による騒音を低減させるという作用を有する。
【００４１】
また、風路仕切の材質を吸音材とすることとしたものであり、発生した騒音の音エネルギーを熱エネルギーへと変換させる空間を持つことにより、本体から発生する渦による騒音を低減させるという作用を有する。
【００４２】
また、風路仕切の表面を透過性の良い材質とし、吸音材を挟み込むように前記風路仕切を形成したこととしたものであり、吸音材に調理等で発生した油が吸収されないため時間変化による劣化なく、発生した騒音の音エネルギーを熱エネルギーへと変換させる空間を持つことにより、本体から発生する渦による騒音を低減させるという作用を有する。
【００４３】
（実施の形態１）
まず、本発明におけるレンジフードの概略構成について説明する。図１乃至図４に示すように、本体１０１は、送風手段である送風装置１０２と外郭１０３とアダプタ１０４と、送風装置１０２によって空気を吸込む吸込口１と、送風装置１０２で昇圧した空気を吐出する吹出部２と、送風装置１０２で昇圧した空気の内、動圧成分を静圧成分に変換する圧力チャンバー室３を設け、圧力チャンバー室３は、外郭１０３内部の仕切板４によって送風装置１０２と仕切られ、吹出部２と圧力チャンバー室３とを連通する開口部５を配設し、且つ、送風装置１０２上部の仕切板４を介し圧力チャンバー室３を送風装置１０２の軸方向上部に設置した構成となっている。
【００４４】
本体１０１の外郭１０３、風路仕切７、アダプタ１０４は、主として亜鉛鋼板などの板金製で構成され、外郭１０３の天面には排気用の排気穴部８が開いており、この排気穴部８に対し垂直方向に取り付ける風路仕切７と排気ダクトと接続するためのアダプタ１０４を螺子等で固定し、下面には送風装置１０２によって空気を吸込む吸込口１の穴があいている。送風装置１０２は主として亜鉛鋼板などの板金製で構成された取付台６に螺子等で固定され、取付台６は螺子または溶接等で外郭１０３の内側に固定されている。仕切板４は、主として亜鉛鋼板などの板金製で構成され、取付台６と外郭１０３の内側に螺子または溶接等で固定されている。
【００４５】
以上のように構成されたレンジフードの動作について説明する。
【００４６】
送風装置１０２が動作すると吸込口１の全圧が下がり、吸込口１より空気が吸込まれる。吸込まれた空気は送風装置１０２によって全圧昇圧され、吹出部２から開口部５を介し圧力チャンバー室３へ流入する。圧力チャンバー室３内において、複数の開口部５より分流した空気が風路仕切７により鉛直方向に風向を変え、且つ、整流されてアダプタ１０４より排気される。
【００４７】
また、図５において、住宅側の梁等により標準位置にアダプタ１０４が取付できない場合においては、アダプタ１０４と外郭１０３を固定している螺子等を外し、本体１０１よりアダプタ１０４、排気穴部８より風路仕切７を鉛直方向に抜き取り、梁等に干渉しない排気穴部８より鉛直方向に風路仕切７、アダプタ１０４を本体１０１に設置し、螺子等で外郭１０３に固定し、アダプタ１０４が設置されない排気穴部８に蓋部９を螺子等で固定し空気の漏れを防止する。
【００４８】
上記構成において、住宅の梁等により本体１０１より風路仕切７、アダプタ１０４の取付位置を変更しても、圧力チャンバー室３で昇圧された空気は風路仕切７により吹き出し風向を鉛直方向に変え、整流されてからアダプタ１０４へ吐出することにより風量―静圧特性を低下させないレンジフードを提供することができる。
【００４９】
（実施の形態２）
図６に示すように、風路仕切７に突起部１０、外郭１０３の排気穴部８にガイド１１が設けられた構造となっており、本体１０１に風路仕切７を取り付ける際、風路仕切７の取付位置がずれないように風路仕切７の突起部１０がガイド１１に沿って鉛直方向に取り付けることができる。
【００５０】
また、図７に示すように、風路仕切７に固定フランジ１２、固定フランジ１２に固定螺子穴１３が設けられた構造となっており、固定螺子穴１３により風路仕切７は、仕切板４に螺子等で固定することができる。
【００５１】
また、図８に示すように、風路仕切７に外郭１０３及びアダプタ１０４の接合面に面接触するように接合フランジ１４を設けた構成となっており、接合フランジ１４により風路仕切７は、外郭１０３、アダプタ１０４に挟まれて螺子等で共締めすることができる。
【００５２】
また、図９に示すように、風路仕切７とアダプタ１０４を一体構造としたものであり、アダプタ１０４を設置した場合には、風路仕切７が必ず設置することができる。
【００５３】
上記構成において、風路仕切７を本体１０１に設置する際、螺子等により本体１０１に容易に風路仕切７を固定することができ、取付構造を比較的単純化させ施工性を向上させたレンジフードを提供することができる。
【００５４】
（実施の形態３）
図１０に示すように、風路仕切７は、仕切板４の平面と接するように風路仕切７の形状をＲ形状部１５で形成され、このＲ形状部１５は空気の移動を伴わないで、音を透過させる透過材で形成され、Ｒ形状部１５と仕切板４で囲われた空間にはグラスウール等の吸音材が充填された構成となっている。
【００５５】
上記構成により、圧力チャンバー室３からアダプタ１０４へ空気の流れが転向する際、風路仕切７と仕切板４の接合面で発生した渦を減少させ、且つ、発生した騒音に対しても吸音材１６により騒音の低減をする。また、透過材１７により吸音材１６に調理等で発生した油が吸収されないため時間変化による劣化なく、発生した騒音の音エネルギーを熱エネルギーへと変換させることにより、本体１０１から発生する渦による騒音を低減させるというレンジフードを提供することができる。
【産業上の利用可能性】
【００５６】
本発明にかかるレンジフードは、アダプタ取付位置の変更時にも、圧力チャンバー室からの空気を整流させてアダプタに吐出することにより風量―静圧特性を低下させない、また、取付構造を比較的単純化させ施工性を向上させたレンジフードを提供でき、また、本体から発生する渦による騒音を低減できることを有し、調理時に発生するガス、油煙、臭気などを確実に屋外へ排出する吊戸棚の下方に取付け可能なレンジフードとして有用である。
【図面の簡単な説明】
【００５７】
【図１】本発明の実施の形態１の斜視図
【図２】同図１の平面図
【図３】同図１のＡ−Ａ’断面図
【図４】同分解図
【図５】同斜視図
【図６】同実施の形態２の斜視図
【図７】同固定フランジ部の斜視図
【図８】同接合フランジ部の斜視図
【図９】同一体構造の斜視図
【図１０】同実施の形態３の斜視図
【図１１】従来のレンジフードの側面断面図
【符号の説明】
【００５８】
１  吸込部
２  吹出部
３  圧力チャンバー室
４  仕切板
５  開口部
６  取付台
７  風路仕切
８  排気穴部
９  蓋部
１０  突起部
１１  ガイド
１２  固定フランジ
１３  固定螺子穴
１４  接合フランジ
１５  Ｒ形状部
１６  吸音材
１７  透過材
１０１  本体
１０２  送風装置
１０３  外郭
１０４  アダプタ
１０５  整流板
１０６  傾斜面
１０７  側面板
１０８  水平部
１０９  傾斜部
１１０  吸気口
１１１  吸気流路
【図１】
2005172333.tif 000003
【図２】
2005172333.tif 000004
【図３】
2005172333.tif 000005
【図４】
2005172333.tif 000006
【図５】
2005172333.tif 000007
【図６】
2005172333.tif 000008
【図７】
2005172333.tif 000009
【図８】
2005172333.tif 000010
【図９】
2005172333.tif 000011
【図１０】
2005172333.tif 000012
【図１１】
2005172333.tif 000013